(57)【要約】    【課題】大型化を招かずに待機位置と再生位置との間を移動する際にトレイ上のＣＤと干渉しないように構成されたディスクドライブ装置を提供する。    【解決手段】ディスク（ＣＤ）を回転駆動するターンテーブル４１、該ターンテーブルとの間にディスクを挟持するクランパ４２、ディスクに記録されたデータの読み取りヘッド４３及び該読み取りヘッドの駆動手段４４を備える再生ユニット３３と、該再生ユニットを載置して待機位置と再生位置との間を移動するキャリア３２とを有するディスクドライブ装置５において、再生ユニットとキャリアとの間に振動遮断手段４０を設けると共に、該振動遮断手段の機能をキャリアの作動時に無効化する無効化手段（最終段平歯車３６、Ｌ字アーム４９、ケーブルガイド部５１、牽引ケーブル５２、ループ状ケーブル５４、偏心小歯車６３、偏心扇形歯車６４、ピン６５）を設けるものとする。【選択図】図１
2006134491.tif 000002
【特許請求の範囲】
【請求項１】
ディスクを回転駆動するターンテーブル、該ターンテーブルとの間にディスクを挟持するクランパ、ディスクに記録されたデータの読み取りヘッド及び該読み取りヘッドの駆動手段を備える再生ユニットと、該再生ユニットを載置して待機位置と再生位置との間を移動するキャリアとを有するディスクドライブ装置であって、
前記再生ユニットと前記キャリアとの間に振動遮断手段が設けられると共に、
該振動遮断手段の機能を前記キャリアの作動時に無効化する無効化手段が設けられることを特徴とするディスクドライブ装置。
【請求項２】
前記キャリアの移動動作を行わせる駆動力を前記無効化手段に伝達する第１力伝達手段と、前記クランパに伝達する第２力伝達手段とを有することを特徴とする請求項１に記載のディスクドライブ装置。
【発明の詳細な説明】
【技術分野】
【０００１】
本発明は、ディスクドライブ装置に関し、特にディスクチェンジャを備えた光学ディスクプレーヤに好適なディスクドライブ装置に関するものである。
【背景技術】
【０００２】
積層された複数のトレイ上に格納されたコンパクトディスク（ＣＤ）のうちの選択した１つのトレイを境にしてトレイ層を上下に分離させ、旋回アームの遊端に支持されたＣＤ駆動用ターンテーブルをその空間に進入させるようにしたディスクチェンジャ付きディスクプレーヤが知られている（特許文献１を参照されたい）。
【０００３】
このような形式のディスクプレーヤにおけるディスクドライブ装置は、ＣＤの中心部をターンテーブル上にばね力で押さえつけるクランパを備えており、旋回アームの旋回動作中は、ターンテーブルとクランパとの間隔を再生対象ＣＤと干渉しないように維持し、トレイ上で待機しているディスクの中心にターンテーブルが整合するのに連れてクランパがＣＤをターンテーブル上に押圧するようになっている。
【特許文献１】特開２００２−３０４８０１号公報
【発明の開示】
【発明が解決しようとする課題】
【０００４】
一方、自動車に搭載するディスクプレーヤの場合、走行中の車体振動を遮断する都合上、ターンテーブル及び光学ヘッドを浮動的に支持する必要があるが、このための支持機構を小型化する上に、浮動支持する部分の慣性質量をできるだけ小さくすることが好ましい。そのためには、ターンテーブル、クランパ、光学ヘッド及びヘッドの送り装置をユニット化し、旋回動するキャリアアーム上にクッション手段を介して支持させるようにすることが考えられる。
【０００５】
しかるに、このような構成を採ると、トレイ上のＣＤは筐体と実質的に一体であるのに対し、筐体に対するターンテーブル並びにクランパの位置は極端に言えば不定となるので、キャリアアームが旋回運動中に大きな振動が作用すると、ターンテーブル並びにクランパと筐体との相対位置が変化する可能性がある。このため、トレイ上のＣＤと干渉しないように、ディスクドライブ装置の移動空間を大きくとる必要があるが、そのようにすると、装置が大型化せざるを得ない。
【０００６】
本発明は、このような不都合を解消すべく案出されたものであり、その主な目的は、大型化を招かずに待機位置と再生位置との間を移動する際にトレイ上のＣＤと干渉しないように構成されたディスクドライブ装置を提供することにある。
【課題を解決するための手段】
【０００７】
このような課題を解決するために本発明の請求項１は、ディスク（ＣＤ）を回転駆動するターンテーブル４１、該ターンテーブルとの間にディスクを挟持するクランパ４２、ディスクに記録されたデータの読み取りヘッド４３及び該読み取りヘッドの駆動手段４４を備える再生ユニット３３と、該再生ユニットを載置して待機位置と再生位置との間を移動するキャリア３２とを有するディスクドライブ装置５において、再生ユニットとキャリアとの間に振動遮断手段４０を設けると共に、該振動遮断手段の機能をキャリアの作動時に無効化する無効化手段（最終段平歯車３６、Ｌ字アーム４９、ケーブルガイド部５１、牽引ケーブル５２、ループ状ケーブル５４、偏心小歯車６３、偏心扇形歯車６４、ピン６５）を設けるものとした。
【０００８】
また本発明の請求項２は、キャリアの移動動作を行わせる駆動力を第１力伝達手段（最終段平歯車３６、Ｌ字アーム４９、クランプアーム５０、牽引ケーブル５２、偏心小歯車６３、偏心扇形歯車６４、ピン６５）をもって無効化手段に伝達すると共に、第２力伝達手段（クランプアーム５０、クランパ作動カム５８、ローラ５９、楔状部６０、ピン６２）をもってクランパに伝達するものとした。
【発明の効果】
【０００９】
このような本発明の請求項１の構成によれば、キャリアの移動動作中は振動遮断手段の機能が無効化されて再生ユニットがキャリアに固定された形となるので、格納位置にあるＣＤと再生ユニットとの相対位置関係が不変となる。従って、トレイ上のＣＤとディスクドライブ装置との干渉を避けるための空隙を最小化することができるので、装置のコンパクト化を推進する上に多大な効果を奏することができる。また本発明の請求項２の構成によれば、本来必要なキャリアを移動させる駆動源のみをもって無効化手段並びにクランパを作動させることができるので、動力源を増設する必要がなく、装置の大型化や複雑化を招かずに済む。
【発明を実施するための最良の形態】
【００１０】
以下に添付の図面を参照して本発明について詳細に説明する。
【００１１】
図１０は、本発明が適用される車載用ディスクプレーヤの上面図である。このディスクプレーヤ１の筐体は、１ＤＩＮの規格に則って形成されており、その前面パネル２には、直径１２ｃｍのＣＤの挿入に対応し得るスロット３が開口し、筐体内の中央部には、ＣＤを格納保持するトレイ４が設けられ、筐体の奥側には、ディスククランパ、ターンテーブル、データ読み取りヘッド及びヘッド駆動モータ等を備えたディスクドライブ装置５が、筐体の底板上に立設された垂直軸（図示せず）に旋回動自在に枢着されている。また筐体の奥側の右隅には、オートチェンジャ機構に駆動力を与えるチェンジャ駆動装置６が設けられ、上部には、左右のオートチェンジャ機構７Ｌ・７Ｒを連動させる連動軸８が延設されている。
【００１２】
なお、オートチェンジャ機構は、前後方向にスライドするカム板の傾斜カム溝に係合させて多段に重ね合わせた複数のトレイ全体を昇降させるトレイベースと、所定段のトレイのみを選択的に再生位置にセットするためのカム溝が形成されたもう一つの前後方向にスライドするカム板とを備えた公知の構成をそのまま流用し得るので、ここではその説明を省略する（オートチェンジャ機構に関して必要ならば、特開平１１−２９６９５４号公報を参照されたい）。
【００１３】
スロット３の右端には、水平状態のＣＤの外周部が通過し得る溝を有する固定ガイド部材９が設けられ、トレイ４の右側端部には、固定ガイド部材９と連携してＣＤの外周部を案内するガイド部１０と、挿入されるＣＤの逸脱を防止すべくガイド部１０の上方を覆う可動ガイド板１０ａとが設けられている。またトレイ４の左側方におけるスロット３側の隅部には、複数のローラからなるディスク搬送機構１１が設けられている。
【００１４】
筐体の天板（図１０においては除去されている）の下面には、再生時に搬送機構１１をＣＤと干渉しない位置へ退避させるための第１レリーズレバー１２の中間部が左側に枢着され、同じく再生時に可動ガイド板１０をＣＤと干渉しない位置へ退避させるための第２レリーズレバー１３の中間部が右側に枢着され、最上段のトレイの上面に重ね合わされたアッパプレート１４に下向きの押圧力を作用させる押圧板１５の一端が、スロット３側の端縁部に枢着されている。
【００１５】
押圧板１５は、その遊端に組み込まれたローラ１６をアッパプレート１４の上面に常時転動接触させるように、枢軸に巻装された捩りコイルばね（図示せず）によって弾発付勢されている。これにより、多段のトレイ４をがたつかないように安定させている。
【００１６】
搬送機構１１は、筐体の底板上に固定されたセンタ軸２１にそれぞれの一端が枢着され、且つそれぞれの遊端が互いに反対方向へ延出された２つのアーム２２・２３と、両アーム２２・２３の遊端に軸支された第１搬送ローラ２４及び第２搬送ローラ２５と、センタ軸２１に枢着された中間ローラ２６とを備えている。そして中間ローラ２６が第１搬送ローラ２４の下方に設置された搬送モータ２７の駆動軸とベルト連結され、中間ローラ２６と第２搬送ローラ２５並びに第１搬送ローラ２４とがそれぞれベルト連結されている。これらにより、搬送モータ２７の駆動力で中間ローラ２６が回転し、この回転に連れて第１、第２、搬送ローラ２４・２５が同時に同一方向へ回転するようになっている。
【００１７】
第１搬送ローラ２４は、スロット３に近接配置され、スロット３から挿入されたＣＤの外周の左側に当接して筐体内へＣＤを引き込み、且つエジェクト時に筐体内から搬送されたＣＤを、スロット３外のＣＤを回収できる位置まで押し出す機能を備えている。また第２搬送ローラ２５は、トレイ４の左側方、すなわちトレイ４上に載置されたＣＤに当接可能な位置に設けられ、この回転により、筐体外から搬送されてきたＣＤをトレイ４上に載置させ、且つエジェクト時にトレイ４からＣＤを離脱させる機能を備えている。そして中間ローラ２６は、第１搬送ローラ２４と第２搬送ローラ２５との間でＣＤの受け渡しを行うガイドとしての機能を備えている。
【００１８】
第１、第２各搬送ローラ２４・２５を個々に支持する２つのアーム２２・２３には、センタ軸２１に巻装された捩りコイルばね（図示せず）の遊端が係止しており、互いの挟み角を小さくする向きに弾発付勢されている。これにより、第１、第２両搬送ローラ２４・２５が、ＣＤの外周に向けて弾発付勢されている。なお、自然状態時の両アーム２２・２３の挟み角は、機械的なストッパ（図示せず）にて図１０に示す位置に規定されている。
【００１９】
図１〜図４は、本発明に基づき構成されたディスクドライブ装置５を示している。このディスクドライブ装置５は、上記の通り、所定角度範囲の旋回運動を水平面上で行うように、筐体の底板に固定された垂直軸３１に枢着されたキャリアアーム３２と、キャリアアーム３２上に載置された再生ユニット３３とからなっている。そして待機状態では筐体の奥壁に沿うように位置するディスクドライブ装置５の下方には、ウォーム減速機及びピニオンと平歯車とからなる複数段の減速歯車群３４と、キャリアアーム３２を旋回駆動する電動モータ３５とが設置されている。
【００２０】
キャリアアーム３２は、減速歯車群３４の最終段平歯車３６に電動モータ３５の回転力を伝達すると共に、キャリアアーム３２の旋回中心側に形成されたスロット３７に最終段平歯車３６の上面に突設されたピン３８を係合することにより、回動駆動されるようになっている。またキャリアアーム３２は、筐体の底板の略中心部に固設された係止ポスト３９の上端にその遊端側を係合させることにより、再生位置に固定されるようになっている。
【００２１】
キャリアアーム３２の上面には、コイルばねをゴム製のブーツでくるんだクッション部材４０が、図３に示すように、三角形の各頂点に配設されており（図１、２においては一部省略した）、これらをもって、ダイレクトドライブモータを内蔵したターンテーブル４１、ターンテーブル４１上にＣＤを挟み付けるディスククランパ４２、ＣＤに記録された情報を読み取る光学ヘッド４３、光学ヘッド４３をＣＤの径方向に移動させるスクリュー軸４４及びヘッド駆動モータ（図示せず）を、共通のフローティングシャシー４５上に配設してなる再生ユニット３３が浮動的に支持されている。これにより、車体に結合された筐体から再生ユニット３３に走行中の振動が伝達されることを抑制している。
【００２２】
ディスククランパ４２は、その一端をフローティングシャシー４５の旋回中心側に水平軸４６をもって枢着されると共に、その他端にディスクセンタ押さえ４７が設けられており、水平軸４６回りに傾動し、ディスクセンタ押さえ４７をターンテーブル４１の上面に接離自在になっている。またディスククランパ４２とフローティングシャシー４５とは、これらの旋回中心側同士間に張設された引っ張りコイルばね４８を介して互いに連結されており、ターンテーブル４１とディスクセンタ押さえ４７とを互いに接近させる向きに常時弾発付勢されている。
【００２３】
再生ユニット３３を除去した状態を図３に示したように、キャリアアーム３２の遊端側の上面には、Ｌ字アーム４９がその曲折部をもって枢着されている。またキャリアアーム３２の旋回中心側には、キャリアアーム３２を枢支した垂直軸３１にクランプアーム５０が枢着されている。
【００２４】
クランプアーム５０には、適宜な円周長のケーブルガイド部５１が形成されており、一端をクランプアーム５０に繋着した牽引ケーブル５２が、ケーブルガイド部５１を経て延出され、その他端がＬ字アーム４９の一端に繋着されている。
【００２５】
Ｌ字アーム４９の他端には、キャリアアーム３２の遊端側に設けられたケーブルルーパ５３に巻回されたループ状ケーブル５４の両端が繋着されている。このループ状ケーブル５４の中間部は、フローティングシヤシー４５の最遊端に形成されたフック５５に巻き付けられている。
【００２６】
クランプアーム５０は、キャリアアーム３２との間に張設された引っ張りコイルばね５６によってケーブルガイド部５１から延出され牽引ケーブル５２に張力を作用させる向きに常時弾発付勢され、Ｌ字アーム４９は、キャリアアーム３２との間に張設された引っ張りコイルばね５７により、ループ状ケーブル５４のフック５５に巻き付けられた部分を弛める向きに常時弾発付勢されている。
【００２７】
フローティングシャシー４５の旋回中心側の上面には、クランパ作動カム５８が垂直軸Ａｚ回りで回動自在なように枢着されている。このクランパ作動カム５８には、図８、９に併せて示すように、ディスククランパ４２の旋回中心側に設けられたローラ５９の下に入り込む楔状段部６０が設けられており、楔状段部６０をローラ５９の下に押し込んでディスククランパ４２の遊端に設けられたディスクセンタ押さえ４７を上昇させ、楔状段部６０をローラ５９の下から抜け出させてディスクセンタ押さえ４７を下降させる働きをなす。そしてクランパ作動カム５８は、フローティングシャシー４５との間に張設された引っ張りコイルばね６１により、楔状段部６０をローラ５９の下から抜け出させる向きに常時回動付勢されている。
【００２８】
クランパ作動カム５８の下面には、フローティングシャシー４５を下向きに突き抜けたピン６２が垂設されている。このピン６２は、クランプアーム５０に係合している。
【００２９】
最終段平歯車３６には、図５に併せて示すように、偏心小歯車６３が一体的に設けられている。そして偏心小歯車６３には、キャリアアーム３２を枢支した垂直軸３１回りで回転する偏心扇形歯車６４が噛合している。
【００３０】
偏心扇形歯車６４には、上向きのピン６５が突設されており、キャリアアーム３２に形成された垂直軸３１と同心の円弧状スロット６６を突き抜けたその上端を、クランプアーム５０に係合させている。
【００３１】
キャリアアーム３２の旋回中心側に形成されたスロット３７は、図５に併せて示すように、円弧部３７ａと、円弧部の一端から適宜な角度をもって延出された直線部３７ｂとからなる変曲した形状であり、この変曲スロット３７に、最終段平歯車３６の上面に植設されたピン３８が突入している。
【００３２】
次に本発明装置の作動要領について説明する。
【００３３】
待機位置にあっては、ディスクドライブ装置５は筐体の奥壁に沿う位置にあり、この状態で図３に示したように、最終段平歯車３６のピン３８はキャリアアーム３２に形成されたスロット３７の円弧部３７aに係合し、偏心扇形歯車６４のピン６５は引っ張りコイルばね５６で引かれた回動位置にあるクランプアーム５０に係合している。
【００３４】
この状態では、図１に示したように、クランプアーム５０が牽引ケーブル５２を牽引してＬ字アーム４９を時計方向に回動させ、これによってフローティングシャシー４５のフック５５に巻回されたループ状ケーブル５４を締め込んでいるので、フローティングシャシー４５の特にターンテーブル４１側がキャリアアーム３２に押し付けられ、クッション部材４０の機能が無効化されている。と同時に、クランパ作動カム５８のピン６２がクランプアーム５０に押されてディスククランパ４２の旋回中心側に設けられたローラ５９の下に楔状段部６０が差し込まれているので（図８の状態）、ターンテーブル４１から離間した位置にディスクセンタ押さえ４７が保持される。
【００３５】
キャリアアーム駆動用電動モータ３５を正転起動すると、減速歯車群３４が回転して最終段平歯車３６が時計方向に回転する。すると最終段平歯車３６のピン３８がスロット３７を図３中にて下向きに押すので、キャリアアーム３２は垂直軸３１を中心にして反時計回りに回動することとなる。ここで偏心小歯車６３と偏心扇形歯車６４とのギア比の設定により、キャリアアーム３２が再生位置に到達するまでの間、偏心小歯車６３の周囲を偏心扇形歯車６４が転動し、ディスククランパ４２の解除状態と、クッション部材４０の無効状態とが同時に維持されるようにしてある。
【００３６】
キャリアアーム３２の遊端に設けられたターンテーブル４１の中心が格納位置にあるＣＤの中心と整合する再生位置に到達すると、図６に示すように、この位置で最終段平歯車３６のピン３８がキャリアアーム３２に設けられたスロット３７の変曲点に整合するように各部の位置関係が設定されており、円弧部３７aの曲率中心が最終段平歯車３６と同心なので、これから先はピン３８が円弧部３７aを空走し、最終段平歯車３６の回転力がキャリアアーム３２に伝わらなくなる。
【００３７】
他方、最終段平歯車３６に一体的に設けられた偏心小歯車６３との噛合により、偏心扇形歯車６４は最終段平歯車３６の回転角と同期的に回動を継続し、図７に示すように、偏心扇形歯車６４の上面に植設されたピン６５が、引っ張りコイルばね５６の収縮力に抗して牽引ケーブル５２を弛める向きにクランプアーム５０を回動させる。このクランプアーム５０の回動に伴い、クランプ作動カム５８に設けられたピン６２が引っ張りコイルばね６１の収縮力によってクランプアーム５０に追従して回動すると共に、クランプ作動カム５８がローラ５９の下方から楔状段部６０を抜け出させる向きに回動する。楔状段部６０がローラ５９の下方から抜け出した後、ピン６２は図示しないストッパに突き当たってクランプアーム５０と離間した位置にて静止する。
【００３８】
この一連の行程により、キャリアアーム３２が再生位置に到達すると、図２に示したように、フローティングシャシー４５の遊端側のループ状ケーブル５４の絞りが緩んでフローティングシャシー４５がクッション部材４０の作用で浮いた状態になると同時に、ディスククランパ４２を押し上げていた楔状段部６０がローラ５９から逃げるので、ディスクセンタ押さえ４７が引っ張りコイルばね４８の収縮力でＣＤの中心部をターンテーブル４１との間に挟み込む。
【００３９】
この状態でターンテーブル４１を回転駆動し且つ光学ヘッド４３を内周側から外周側へ送りつつＣＤの記録面のデータを読み取って再生する。この状態では、ターンテーブル４１、光学ヘッド４３、光学ヘッド駆動モータ及びＣＤがフローティングシャシー４５と一体となり、しかもキャリアアーム３２に対して浮動状態にあるので、車体の振動が再生ユニット３３に伝達されることがない。
【００４０】
再生位置から待機位置への復帰時は、電動モータ３５を逆転させるとスロット３７の円弧部３７aを最終段平歯車３６のピン３８が空走する間に偏心扇形歯車６４のピン６５がクランプアーム５０を時計方向に回動させる。これにより、ループ状ケーブル５４が絞り込まれてフローティングシャシー４５がキャリアアーム３２に引きつけられると同時に、クランプアーム５０がクランパ作動カム５８を押してローラ５９の下方へ楔状段部６０を押し込んでディスクセンタ押さえ４７を持ち上げる。これにより、クッション部材４０が押し縮められてフローティングシャシー４５の浮動状態が無効化され、且つＣＤがターンテーブル４１からフリーになる。
【００４１】
引き続き電動モータ３５の逆転を継続すると、最終段平歯車３６のピン３８がスロット３７の直線部３７ｂに入り込み、キャリアアーム３２に待機位置へ向けての回転力を加える。キャリアアーム３２が待機位置へ向けて回動する区間は、偏心小歯車６３の周囲を偏心扇形歯車６４が転動するので、偏心扇形歯車６４のピン６５はクランプアーム５０に力を及ぼさず、クランプアーム５０は引っ張りコイルばね５６の収縮力によって時計方向に回動した位置を維持するので、待機位置ではディスクセンタ押さえ４７が持ち上がり、ループ状ケーブル５４でフローティングシャシー４５が固定された状態が維持される。
【００４２】
このようにして、キャリアアーム３２を回動駆動する１つの電動モータ３５の動力により、フローティング機能の有効／無効動作とディスクセンタ押さえ４７の上昇／下降動作とをキャリアアーム３２の旋回運動に同期させることができる。
【産業上の利用可能性】
【００４３】
本発明にかかるディスクドライブ装置は、光学式の記録ディスクの再生装置に等しく適用可能であり、ＤＶＤプレーヤにも勿論適用可能である。
【図面の簡単な説明】
【００４４】
【図１】本発明装置のフローティング無効状態の側面図である。
【図２】本発明装置のディスク再生状態の側面図である。
【図３】キャリアアームの待機位置の上面図である。
【図４】減速歯車群の上面図である。
【図５】最終段減速平歯車と偏心小歯車と偏心扇形歯車の関係を示す説明図である。
【図６】キャリアアームの再生位置でのフローティング無効状態の上面図である。
【図７】キャリアアームの再生位置でのフローティング有効状態の上面図である。
【図８】ディスククランパの上昇状態の要部斜視図である。
【図９】ディスククランパの下降状態の要部斜視図である。
【図１０】本発明が適用されるＣＤプレーヤの機構図である。
【符号の説明】
【００４５】
ＣＤ  コンパクトディスク
５  ディスクドライブ装置
３２  キャリアアーム
３３  再生ユニット
３６  最終段平歯車
４０  クッション部材（振動遮断手段）
４１  ターンテーブル
４２  ディスククランパ
４３  光学ヘッド
４４  スクリュー軸
４９  Ｌ字アーム
５０  クランプアーム
５１  ケーブルガイド部
５２  牽引ケーブル
５４  ループ状ケーブル
５８  クランパ作動カム
５９  ローラ
６０  楔状段部
６２  ピン
６３  偏心小歯車
６４  偏心扇形歯車
６５  ピン
【図１】
2006134491.tif 000003
【図２】
2006134491.tif 000004
【図３】
2006134491.tif 000005
【図４】
2006134491.tif 000006
【図５】
2006134491.tif 000007
【図６】
2006134491.tif 000008
【図７】
2006134491.tif 000009
【図８】
2006134491.tif 000010
【図９】
2006134491.tif 000011
【図１０】
2006134491.tif 000012